(57)【要約】【課題】圧力を調整するための袋体を備えた圧力調整装置において、袋体の耐久性を向上させる。【解決手段】環境試験装置１０は、試験空間Ｓｔを有する試験槽１２と、圧力調整装置１４と備えている。圧力調整装置１４は、接続口３５ｃを通して試験空間Ｓｔに連通する内部空間Ｓｉを有し、試験空間Ｓｔ内からの空気が接続口３５ｃを通して内部空間Ｓｉに流入すると膨らむ一方、接続口３５ｃを通して内部空間Ｓｉの空気が流出すると萎む袋体３５と、袋体３５をその上部において吊持する支持部３６と、を備えている。袋体３５は、変形自在な袋体本体３５ａと、袋体本体３５ａよりも変形し難く、かつ袋体本体３５ａの上部に設けられて支持部３６に吊り下げられる保持部３５ｂとを備えている。【選択図】図２
2011145121.tif 000002
【特許請求の範囲】
【請求項１】
内部圧力が変動し得る閉空間内の圧力変動を緩和するための圧力調整装置であって、
接続口を通して前記閉空間に連通する内部空間を有し、前記閉空間内からの空気が前記接続口を通して前記内部空間に流入すると膨らむ一方、前記接続口を通して前記内部空間の空気が流出すると萎む袋体と、
前記袋体をその上部において吊持する支持部と、を備えている圧力調整装置。
【請求項２】
前記袋体は、変形自在な袋体本体と、前記袋体本体よりも変形し難く、かつ前記袋体本体の上部に設けられて前記支持部に吊り下げられる保持部とを備えている請求項１に記載の圧力調整装置。
【請求項３】
前記支持部は、前記袋体を収容する中空構造に構成されるとともに、その天部において前記袋体を吊持する構成である請求項１又は２に記載の圧力調整装置。
【請求項４】
前記袋体は、その下部において下部支持部に保持されている請求項１から３の何れか１項に記載の圧力調整装置。
【請求項５】
前記下部支持部は、前記接続口が形成された前記袋体の下部を取り付けるための環状の取付部を備えており、
前記袋体は、前記接続口を前記取付部に被せることによって前記取付部に取り付けられている請求項４に記載の圧力調整装置。
【請求項６】
前記支持部には、当該支持部内の残圧を逃すための貫通孔が設けられている請求項３から５の何れか１項に記載の圧力調整装置。
【請求項７】
前記袋体の内部空間と前記閉空間とを連通させるダクトを備えており、
前記ダクトは前記支持部の中に配置されている請求項３から６の何れか１項に記載の圧力調整装置。
【請求項８】
前記袋体の内部空間と前記閉空間とを連通させるダクトを備えており、
前記ダクトは、前記閉空間との連通部よりも低い位置に位置するトラップ部を有している請求項１から７の何れか１項に記載の圧力調整装置。
【請求項９】
前記袋体には、前記接続口に向かって徐々に幅が狭くなる形状の絞り部が設けられている請求項１から８の何れか１項に記載の圧力調整装置。
【請求項１０】
閉空間となり得る試験空間を有する試験槽と、
請求項１から９の何れか１項に記載の圧力調整装置と、備え、
前記袋体の内部空間は、前記試験槽の試験空間に連通している環境試験装置。
【請求項１１】
加熱器で加熱された高温空気を前記試験空間に送るための高温側送風機と、冷却器で冷却された低温空気を前記試験空間に送るための低温側送風機と、を備え、
前記試験槽には、前記試験空間と前記内部空間とを連通させるための取出し口が設けられており、
前記取出し口は、前記高温側送風機の動圧を受け、かつ前記低温側送風機の動圧が遮られるように形成されている請求項１０に記載の環境試験装置。
【発明の詳細な説明】
【技術分野】
【０００１】
本発明は、圧力調整装置及び環境試験装置に関するものである。
【背景技術】
【０００２】
従来、環境試験装置等において、試験室内の温度の変動に伴って圧力が変動することにより、外部の空気が試験室内に流入したり、試験室内の空気が外部に漏出したりすることが知られている。外部空気が試験室内に流入して冷却されると冷凍機の熱交換器等での結露や結霜の原因となるため、外部空気が試験室内に流入しないようにするのが好ましい。このような観点から特許文献１〜３に開示された環境試験装置では、試験室内の圧力変動を緩和するための圧力調整部が設けられている。
【０００３】
特許文献１に開示された圧力調整部は、試験室の断熱壁に形成された開口を覆うように設けられた袋体によって構成されている。この袋体は、ポリエチレン等の変形自在な柔軟な材料でできており、試験室の室温が上昇して空気が膨張すると試験室内の空気が袋体内に流入して膨らむ一方、試験室の室温が低下すると萎むことにより、試験室内の圧力変動を緩和する。
【０００４】
特許文献２に開示された圧力調整部は、ダクトを通して試験室内と連通しているが、この圧力調整部も、ポリエチレン等の変形自在な柔軟な材料からなる袋体によって構成されている。この圧力調整部は、ダクトに接続された接続管の一端部にホースバンド等により、上向き又は横向きに取り付けられている。
【０００５】
特許文献３に開示された圧力調整部は、ポリエチレン等の変形自在な柔軟な材料からなる袋体によって構成されており、この袋体の開口縁部は、板部材の縁部及び箱体のフランジ部間に挟み込まれて横向きに配置されている。
【先行技術文献】
【特許文献】
【０００６】
【特許文献１】特開２００２−４８７０５号公報
【特許文献２】特開２００９−２５７９５６号公報
【特許文献３】特開２００９−２５７９５７号公報
【発明の概要】
【発明が解決しようとする課題】
【０００７】
特許文献１〜３に開示された圧力調整部は、何れも変形自在な材料で構成されているので、試験室内の圧力変動を緩和することができるが、以下の問題点がある。
【０００８】
すなわち、特許文献１及び２では、袋体が上向き又は横向きに取り付けられているので、袋体自身の重みで中折れする虞がある。このため、袋体の耐久性が低下してしまう虞がある。また、特許文献３では、袋体の開口周縁部が固定されるとともに、横向きに膨出するように取り付けられているので、袋体が萎んだときには部分的に重なり合うように折れ曲がってしまう虞があり、これによって袋体の耐久性が低下してしまう虞がある。
【０００９】
そこで、本発明の目的は、圧力を調整するための袋体を備えた圧力調整装置において、前記袋体の耐久性を向上させることにある。
【課題を解決するための手段】
【００１０】
前記の目的を達成するため、本発明は、内部圧力が変動し得る閉空間内の圧力変動を緩和するための圧力調整装置であって、接続口を通して前記閉空間に連通する内部空間を有し、前記閉空間内からの空気が前記接続口を通して前記内部空間に流入すると膨らむ一方、前記接続口を通して前記内部空間の空気が流出すると萎む袋体と、前記袋体をその上部において吊持する支持部と、を備えている圧力調整装置。
【００１１】
本発明では、袋体が支持部によって吊り下げられた状態となっているので、袋体が萎んだ状態になった場合でも、自身の重みによって袋体が中折れしたり、部分的に重なるように折れ曲がったりするのを防止することができる。このため、袋体の耐久性が低下することを防止することができる。しかも、袋体が中折れすることによって接続口の一部が塞がれることを防止することもできる。
【００１２】
ここで、前記袋体は、変形自在な袋体本体と、前記袋体本体よりも変形し難く、かつ前記袋体本体の上部に設けられて前記支持部に吊り下げられる保持部とを備えているのが好ましい。
【００１３】
この態様では、変形自在な袋体本体によって前記閉空間の圧力変動に追従し易くすることができる。しかも、袋体本体の上部に袋体本体よりも変形し難い保持部が設けられているので、支持部に吊持された状態で袋体本体に応力集中が発生することを抑制することができる。さらに、袋体本体が萎んだときに、袋体本体の上部での変形をある程度規制することができるため、袋体本体自身によって空気の流通が阻害されることを防止することができる。
【００１４】
また、前記支持部は、前記袋体を収容する中空構造に構成されるとともに、その天部において前記袋体を吊持する構成であってもよい。この態様では、袋体が支持部内に収容されるので、人手が袋体に触れたり、外部の物によって袋体が傷ついたりすることを防止でき、袋体の寿命が短くなることを防止することができる。
【００１５】
また、前記袋体は、その下部において下部支持部に保持されている構成としてもよい。この態様では、袋体が上部において支持部に保持されているとともに下部において下部支持部に支持されているので、袋体の重量を上部のみで支持する構成に比べて袋体の上部にかかる応力を低減することができる。また、袋体に自重による張力がかからないようにすることができる。したがって、この態様では、袋体の耐久性をさらに向上することができる。
【００１６】
この態様において、前記下部支持部が、前記接続口が形成された前記袋体の下部を取り付けるための環状の取付部を備えている場合には、前記袋体は、前記接続口を前記取付部に被せることによって前記取付部に取り付けられているのが好ましい。この態様では、袋体の接続口の形状を一定形状に維持することができるため、袋体が萎んだときでも空気の通り道を常時確保することができる。
【００１７】
前記支持部には、当該支持部内の残圧を逃すための貫通孔が設けられていてもよい。この態様では、袋体が膨らんだり萎んだりする際に支持部内の空気圧が抵抗となることを防止することができる。このため、袋体への空気の流入時及び袋体からの空気の流出時にスムーズに圧力緩和を行うことができる。
【００１８】
前記袋体の内部空間と前記閉空間とを連通させるダクトを備えている場合には、前記ダクトは前記支持部の中に配置されていてもよい。この態様では、ダクトが支持部の中に配設されているので、外部からダクトに触れることができない。このため、ダクト内に高温の空気が流通する場合でも、安全である。
【００１９】
また、前記袋体の内部空間と前記閉空間とを連通させるダクトを備えている場合には、前記ダクトは、前記閉空間との連通部よりも低い位置に位置するトラップ部を有していてもよい。この態様では、ダクト内を流通する空気中の水分が凝縮した場合にそれをトラップしてダクトのトラップ部に溜めることができる。このため、ダクト内の凝縮水が袋体内及び閉空間内に流入することを防止することができる。
【００２０】
前記袋体には、前記接続口に向かって徐々に幅が狭くなる形状の絞り部が設けられていてもよい。この態様では、袋体が萎んだときに袋体自身によって接続口をより塞ぎ難くすることができる。
【００２１】
本発明は、閉空間となり得る試験空間を有する試験槽と、前記圧力調整装置と、備え、前記袋体の内部空間は、前記試験槽の試験空間に連通している環境試験装置である。
【００２２】
前記環境試験装置において、加熱器で加熱された高温空気を前記試験空間に送るための高温側送風機と、冷却器で冷却された低温空気を前記試験空間に送るための低温側送風機と、を備え、前記試験槽には、前記試験空間と前記内部空間とを連通させるための取出し口が設けられている場合には、前記取出し口は、前記高温側送風機の動圧を受け、かつ前記低温側送風機の動圧が遮られるように形成されていてもよい。
【００２３】
この態様では、高温側送風機によって高温空気が試験空間に送られるときに、試験空間内が昇圧して袋体を膨らませるが、このとき取出し口には高温側送風機の動圧がかかるので、この動圧を利用して袋体を積極的に膨らませることができる。一方、低温側送風機によって低温空気が試験空間に送られるときには、試験室内の圧力が低下して袋体が萎むことになるが、このときには、低温側送風機の動圧が取出し口にかからないようになっているので、この動圧の影響を受けて袋体が萎み難くなることを抑制することができる。
【発明の効果】
【００２４】
以上説明したように、本発明によれば、圧力を調整するための袋体を備えた圧力調整装置において、前記袋体の耐久性を向上させることができる。
【図面の簡単な説明】
【００２５】
【図１】本発明の実施形態に係る環境試験装置を概略的に示す図である。
【図２】高温曝し試験時の前記環境試験装置を説明するための図である。
【図３】低温曝し試験時の前記環境試験装置を説明するための図である。
【図４】本発明の他の実施形態に係る環境試験装置を概略的に示す図である。
【図５】本発明の他の実施形態に係る環境試験装置を概略的に示す図である。
【図６】本発明の他の実施形態に係る環境試験装置における圧力調整装置を概略的に示す図である。
【図７】（ａ）（ｂ）本発明の他の実施形態に係る環境試験装置における圧力調整装置を概略的に示す図である。
【図８】本発明の他の実施形態に係る環境試験装置における圧力調整装置を概略的に示す図である。
【図９】本発明の他の実施形態に係る環境試験装置における圧力調整装置を概略的に示す図である。
【発明を実施するための形態】
【００２６】
以下、本発明を実施するための形態について図面を参照しながら詳細に説明する。
【００２７】
図１に示すように、本実施形態に係る環境試験装置１０は、試料を収容可能な試験空間Ｓｔ（図２参照）を有する試験槽１２と、試験空間Ｓｔの圧力変動を緩和するための圧力調整装置１４と、を備えている。
【００２８】
本実施形態の環境試験装置１０は、例えば、試料に熱負荷を与えて試料の熱的強度等を試験可能な熱衝撃試験装置として構成されている。したがって、試験槽１２は、図２及び図３に示すように、試験空間Ｓｔと、試験空間Ｓｔの上側に位置する高温側空調空間Ｓｈと、試験空間Ｓｔの下側に位置する低温側空調空間Ｓｌとを有する。具体的には、試験槽１２は、箱型で中空のケーシング１７と、このケーシング１７の中間高さ位置でケーシング１７内に架設された第１仕切り部材１８と、第１仕切り部材１８よりも下側の位置でケーシング１７内に架設された第２仕切り部材１９と、を備えている。第１仕切り部材１８及び第２仕切り部材１９により、ケーシング１７内の空間が高温側空調空間Ｓｈと試験空間Ｓｔと低温側空調空間Ｓｌとに仕切られている。
【００２９】
ケーシング１７、第１仕切り部材１８及び第２仕切り部材１９は何れも、金属製又は樹脂製のパネルで断熱材をカバーした断熱パネルによって構成されている。
【００３０】
高温側空調空間Ｓｈには、空気を加熱する加熱器２１と、加熱された高温空気を試験空間Ｓｔに送るための高温側送風機２２と、が配設されており、この空調空間Ｓｈでは、例えば２００℃程度までの高温空気を生成可能である。
【００３１】
低温側空調空間Ｓｌには、空気を冷却する冷却器２５と、冷却された低温空気を試験空間Ｓｔに送るための低温側送風機２６とが配設されており、この空調空間Ｓｌでは、例えば、−７０℃程度までの低温空気を生成可能である。
【００３２】
第１仕切り部材１８には、試験空間Ｓｔと高温側空調空間Ｓｈとを連通する連通孔１８ａ，１８ｂが形成されている。連通孔１８ａ，１８ｂには、高温側空調空間Ｓｈから試験空間Ｓｔに流入する空気が流れる導入側連通孔１８ａと、試験空間Ｓｔから高温側空調空間Ｓｈに流出する空気が流れる導出側連通孔１８ｂとがある。導入側連通孔１８ａ及び導出側連通孔１８ｂは、何れもダンパー（開閉部材）２９によって開閉される。
【００３３】
第２仕切り部材１９には、試験空間Ｓｔと低温側空調空間Ｓｌとを連通する連通孔１９ａ，１９ｂが形成されている。連通孔１９ａ，１９ｂには、低温側空調空間Ｓｌから試験空間Ｓｔに流入する空気が流れる導入側連通孔１９ａと、試験空間Ｓｔから低温側空調空間Ｓｌに流出する空気が流れる導出側連通孔１９ｂとがある。導入側連通孔１９ａ及び導出側連通孔１９ｂは、何れもダンパー（開閉部材）３０によって開閉される。
【００３４】
ケーシング１７には、試験空間Ｓｔに面するように取出し口１７ａが設けられている。この取出し口１７ａは、試験空間Ｓｔ内の空気を圧力調整装置１４に導くためのものである。この取出し口１７ａは、第１仕切り部材１８のダンパー２９が連通孔１８ａ，１８ｂを開放したときでも、このダンパー２９の位置からずれた位置に形成され、かつ第２仕切り部材１９のダンパー３０が連通孔１９ａ，１９ｂを開放したときには、このダンパー３０の位置に対応する位置に形成されている。ただし、この第２仕切り部材１９のダンパー３０によって取出し口１７ａが塞がれることはなく、低温側送風機２６の動圧が取出し口１７ａに直接影響するのを遮るようになっている。
【００３５】
なお、試験空間Ｓｔには、試料を載置するための棚状の試料台３３等が配設されている。また、ケーシング１７には、試料を出し入れするための出し入れ口が形成されるとともに、この出し入れ口を開閉する開閉扉（図示省略）が設けられている。
【００３６】
圧力調整装置１４は、試験空間Ｓｔ内からの空気が出入り可能な袋体３５と、この袋体３５を吊持する支持部３６と、袋体３５の内部空間Ｓｉと試験空間Ｓｔとを連通させるダクト３７と、を備えている。
【００３７】
支持部３６は、袋体３５を収容可能な中空構造の箱型に構成されており、底部３６ａと、底部３６ａの周囲から立設された側部３６ｂと、側部３６ｂの上端部に掛け渡された天部３６ｃと、を備えている。天部３６ｃには、袋体３５を吊り下げるための吊り部材４０が設けられている。支持部３６は、試験槽１２との間に僅かな間隙を形成するように試験槽１２に近接して配置されている。なお、支持部３６は、一側面が開放されるとともに、この開放された側面が試験槽１２の一側面によって塞がれる構成としてもよい。
【００３８】
袋体３５は、支持部３６内に配置されており、空気が出入りする内部空間Ｓｉが形成される袋体本体３５ａと、この袋体本体３５ａの上部に設けられる保持部３５ｂとを備えている。袋体本体３５ａは、例えばポリエチレン、ビニル樹脂、シリコン等の変形自在な柔軟な材質で構成されている。
【００３９】
袋体本体３５ａは、下端が開口するとともに上下方向に長い縦長の形状であり、内部空間Ｓｉの横断面が細長い形状となるように形成されている。袋体本体３５ａの下端開口は、ダクト３７や支持部３６に固定するための接続口３５ｃとなる。袋体本体３５ａは、主として一方向（横断面の短尺方向）に膨張および収縮する構成であり、内部空間Ｓｉの膨張収縮量は、上端部及び下端部でごく僅かであるのに対し、上下方向の中間部で大きくなっている。この横断面の短尺方向と直交する方向（袋体本体３５ａの幅方向）における膨張収縮量は比較的少ない。本実施形態では、袋体３５は、袋体本体３５ａの幅方向が支持部３６における試験槽１２側の側部３６ｂに平行になるように配置されている。これにより、これと直交する方向の支持部３６の幅（支持部３６の厚み）が大きくならないようにすることができる。
【００４０】
保持部３５ｂは、袋体本体３５ａよりも変形し難い構成であり、袋体本体３５ａの幅方向のほぼ全体に亘る大きさに形成されている。保持部３５ｂには、支持部３６の吊り部材４０を引っ掛けるための引っ掛け孔３５ｄが設けられている。本実施形態では、保持部３５ｂが横方向に長い平板状に形成されており、引っ掛け孔３５ｄは、長手方向に並ぶように複数形成されている。保持部３５ｂでは、袋体３５が吊り部材４０に吊り下げられたときに吊り部材４０の周囲で応力集中が発生するが、袋体本体３５ａよりも高剛性に構成されているので、自重によって袋体本体３５ａに応力集中が発生するのを防止することができる。
【００４１】
保持部３５ｂは、袋体３５の重量によっては変形しない程度の剛性又は変形するとしても僅かである剛性を有しており、袋体本体３５ａと同じ材質又は異なる材質で構成されている。ただし、保持部３５ｂが袋体本体３５ａと同じ材質で構成される場合には、保持部３５ｂの厚みを袋体本体３５ａよりも厚くする等して剛性を確保する必要がある。
【００４２】
ダクト３７は、試験槽１２の試験空間Ｓｔと袋体３５の内部空間Ｓｉとを連通させるためのものであり、本実施形態では支持部３６内に配置されている。ダクト３７は、支持部３６の内面に沿うように設けられており、支持部３６の側部３６ｂに沿って上下方向に延びる縦部３７ａと、この縦部３７ａの下端部につながり、支持部３６の底部３６ａに沿って水平方向に延びる横部３７ｂと、を備えている。ダクト３７は、空気の流路面積は流れ方向に沿ってほぼ一定になるように形成されており、例えば金属製のものである。
【００４３】
縦部３７ａの上端部には、試験槽１２の取出し口１７ａに連通するように側方を向いた第１連通口３７ｃが設けられており、支持部３６の側部３６ｂには、第１連通口３７ｃと対応する位置に開口部が形成されている。そして、ダクト３７内の通路は、この第１連通口３７ｃ、開口部及び取出し口１７ａを通して試験空間Ｓｔに連通している。
【００４４】
横部３７ｂにおける端部には、ダクト３７内の通路を開口させる第２連通口３７ｄが形成されており、この横部３７ｂの端部には、第２連通口３７ｄを囲むように環状の取付部４２が設けられている。この取付部４２は、横部３７ｂの上面に上側に突出するように設けられており、袋体本体３５ａの接続口３５ｃを被せた状態で、例えばホースバンド等の固定部材４４で袋体３５を固定できるようになっている。すなわち、取付部４２及び固定部材４４により、袋体３５の下部を保持する下部支持部が構成されている。
【００４５】
袋体３５は、上端部で天部３６ｃの吊り部材４０に吊り下げられる一方、下端部が下部支持部に保持されている。そして、袋体３５は、この状態で中折れせず、かつ膨らんだり萎んだりするのに支障のない程度の余裕を持たせた寸法に設計されている。なお、袋体３５は、吊り部材４０に吊り下げられる構成に代え、上端部において天部３６ｃに固定されて、天部３６ｃに直接吊持される構成としてもよい。
【００４６】
袋体本体３５ａの容量は、８０〜１２０リットル程度であり、本実施形態では約９０リットルに構成されている。そして、袋体本体３５ａは、高さが幅のおよそ３倍（２倍以上）になるように構成されている。
【００４７】
試験槽１２のケーシング１７は、取出し口１７ａを含む部分が少し側方に突出した状態に形成されており、この部分のみが支持部３６の側部３６ｂに接触する構成となっている。これにより、試験槽１２のケーシング１７と支持部３６との接触面積が小さくなり、試験槽１２から支持部３６への伝熱が抑制さる。なお、ケーシング１７と支持部３６との間に断熱材（図示省略）を介在させるようにしてもよい。
【００４８】
本実施形態に係る環境試験装置１０では、少なくとも高温曝し試験と低温曝し試験とを行うことができる。
【００４９】
高温曝し試験のときには、図２に示すように、ダンパー２９によって第１仕切り部材１８の導入側連通孔１８ａ及び導出側連通孔１８ｂを開放する一方、ダンパー３０によって第２仕切り部材１９の導入側連通孔１９ａ及び導出側連通孔１９ｂを閉じる。第２仕切り部材１９のダンパー３０が連通孔１９ａ，１９ｂを閉じる姿勢となっているので、このダンパー３０によってケーシング１７の取出し口１７ａが塞がれることはない。そして、加熱器２１を駆動するとともに高温側送風機２２を駆動する。これにより、加熱器２１によって加熱された高温空気が高温側空調空間Ｓｈと試験空間Ｓｔとの間で循環し、試験空間Ｓｔ内が設定温度に調整される。このとき、試験空間Ｓｔ内の温度が上昇するのに伴って空気が膨張するが、この空気膨張に伴って試験空間Ｓｔ内の空気がダクト３７を通して袋体３５の内部空間Ｓｉに流入し、袋体本体３５ａが膨らむ。このとき、高温側送風機２２の動圧の影響を受けつつ試験空間Ｓｔ内の空気がダクト３７内へと流入する。このため、試験空間Ｓｔ内の圧力上昇を効果的に緩和することができる。
【００５０】
低温曝し試験のときには、図３に示すように、第１仕切り部材１８の導入側連通孔１８ａ及び導出側連通孔１８ｂを閉じる一方、第２仕切り部材１９の導入側連通孔１９ａ及び導出側連通孔１９ｂを開放する。そして、冷却器２５を駆動するとともに低温側送風機２６を駆動する。これにより、冷却器２５によって冷却された低温空気が低温側空調空間Ｓｌと試験空間Ｓｔとの間で循環し、試験空間Ｓｔ内が設定温度に調整される。このとき、試験空間Ｓｔ内の温度が低下するのに伴って空気が収縮するが、この収縮に伴って袋体本体３５ａ内の空気がダクト３７を通して試験空間Ｓｔ内に流入する。これにより袋体本体３５ａが萎む。このとき、第２仕切り部材１９のダンパー３０が連通孔１９ａ，１９ｂを開放する姿勢となっていて、このダンパー３０によって、低温側送風機２６の動圧が取出し口１７ａに直接作用しないようになっている。このため、試験空間Ｓｔ内の圧力低下に伴って袋体本体３５ａの内部空間Ｓｉから試験空間Ｓｔに向かって空気が流れるときに、低温側送風機２６の動圧によって空気が流れ難くなることを防止することができる。
【００５１】
以上説明したように、本実施形態では、袋体３５が支持部３６によって吊り下げられた状態となっているので、袋体３５が萎んだ状態になった場合でも、自身の重みによって袋体３５が中折れしたり、部分的に重なるように折れ曲がったりするのを防止することができる。このため、袋体３５の耐久性が低下することを防止することができる。しかも、袋体３５が中折れすることによって接続口３５ｃの一部が塞がれることを防止することもできる。
【００５２】
さらに本実施形態では、変形自在な袋体本体３５ａによって試験空間Ｓｔの圧力変動に追従し易くすることができる一方、袋体本体３５ａの上部に袋体本体３５ａよりも変形し難い保持部３５ｂが設けられているので、支持部３６に吊持された状態で袋体本体３５ａに応力集中が発生することを抑制することができる。また、袋体本体３５ａが萎んだときに袋体本体３５ａの上部での変形を保持部３５ｂによってある程度規制することができるため、袋体本体３５ａ自身によって空気の流通が阻害されることを防止することができる。
【００５３】
また本実施形態では、支持部３６が中空構造に構成されるとともに、その天部３６ｃにおいて袋体３５を吊持する構成となっているので、人手が袋体３５に触れたり、外部の物によって袋体３５が傷ついたりすることを防止でき、袋体３５の寿命が短くなることを防止することができる。
【００５４】
また本実施形態では、袋体３５が上部において支持部３６に保持されているとともに下部において下部支持部に支持されているので、袋体３５の重量を上部のみで支持する構成に比べて袋体３５の上部にかかる応力を低減することができる。また、袋体３５に自重による張力がかからないようにすることができる。したがって、本実施形態では、袋体３５の耐久性をさらに向上することができる。なお、袋体３５が萎んだときに中折れしたり、部分的に折れ曲がったりしないように、袋体３５及び支持部３６の寸法設計をしておけばよい。
【００５５】
また本実施形態では、袋体３５の接続口３５ｃを取付部４２に被せることによって取付部４２に取り付けられているので、袋体３５の接続口３５ｃの形状を一定形状に維持することができる。これにより、袋体３５が萎んだときでも空気の通り道を常時確保することができる。
【００５６】
また本実施形態では、ダクト３７が支持部３６の中に配設されているので、外部からダクト３７に触れることができない。このため、ダクト３７内に高温の空気が流通する場合でも、安全である。
【００５７】
また本実施形態では、高温側送風機２２によって高温空気が試験空間Ｓｔに送られるときに、試験空間Ｓｔ内が昇圧して袋体３５を膨らませるが、このとき取出し口１７ａには高温側送風機２２の動圧がかかるので、この動圧を利用して袋体３５を積極的に膨らませることができる。一方、低温側送風機２６によって低温空気が試験空間Ｓｔに送られるときには、試験空間Ｓｔ内の圧力が低下して袋体３５が萎むことになるが、このときには、低温側送風機２６の動圧が取出し口１７ａにかからないようになっているので、この動圧の影響を受けて袋体３５が萎み難くなることを抑制することができる。
【００５８】
なお、本発明は、前記実施形態に限られるものではなく、その趣旨を逸脱しない範囲で種々変更、改良等が可能である。例えば、前記実施形態ではダクト３７が支持部３６内に配設された構成としたが、この構成に限られるものではない。例えば、図４に示すように、ダクト３７は、支持部３６の外側に配設されるようにしてもよい。このダクト３７は、一端部において試験槽１２のケーシング１７の側面に固定される一方、他端部において支持部３６の底部３６ａに固定されており、底部３６ａには、この他端部に対応する位置に開口部が形成されるとともにこの開口部を囲むように環状で且つ上向きに突出した取付部４２が設けられている。そして、この取付部４２に袋体本体３５ａの接続口３５ｃを被せた状態で袋体３５が固定されている。すなわち、ダクト３７は、水平方向に延びる水平部３７ｅと、この水平部３７ｅの端部から上方に延びる垂直部３７ｆとを有しており、水平部３７ｅの端面に第１連通口３７ｃが設けられ、垂直部３７ｆの上端面に第２連通口３７ｄが設けられている。第１連通口３７ｃは、ケーシング１７において試験空間Ｓｔに対応する位置に形成された取出し口１７ａに連通し、第２連通口３７ｄは、支持部３６の底部３６ａに形成された開口部に連通している。したがって、ダクト３７内の通路は、第２連通口３７ｄを介して袋体本体３５ａの内部空間Ｓｉと連通している。この構成では、支持部３６の底部３６ａに下部支持部が設けられていることになる。
【００５９】
袋体本体３５ａは、例えば横断面が楕円形の筒状の筒状部３５ｅと、この筒状部３５ｅの下端部に形成された絞り部３５ｆとを備えている。筒状部３５ｅでは、径方向に膨張及び収縮が可能である。絞り部３５ｆは、下側ほど幅が狭くなる略円錐台状に形成されており、その下端部が接続口３５ｃとなっている。袋体本体３５ａに絞り部３５ｆが設けられていれば、袋体本体３５ａが萎んだときに袋体本体３５ａ自身によって接続口３５ｃをより塞ぎ難くすることができる。なお、この形態でも、袋体本体３５ａは図１と同様の形状に形成してもよい。また図４では、袋体３５が試験槽１２側の側部３６ｂに対して斜めを向いているが、図１と同様に、試験槽１２側の側部３６ｂに対して平行な向きになるように配設されていてもよい。また、ダクト３７は、図６に示すような曲がり変形自在な構成としてもよい。
【００６０】
図４のダクト３７は、水平部３７ｅと垂直部３７ｆとを有する構成としたが、これに代え、図５に示すように、ダクト３７が水平部３７ｅと第１垂直部３７ｇと第２垂直部３７ｈとを備える構成としてもよい。すなわち、第１垂直部３７ｇは、水平部３７ｅの一端部から上方に延びており、その上端部においてケーシング１７の取出し口１７ａに連通する試験空間Ｓｔとの連通部としての第１連通口３７ｃが形成されている。第２垂直部３７ｈは、水平部３７ｅの他端部から上方に延びており、その上端部に内部空間Ｓｉとの連通部としての第２連通口３７ｄが形成されるとともにこの第２連通口３７ｄが支持部３６の底部３６ａに設けられた取付部４２の内側開口に連通する構成となっている。言い換えると、ダクト３７は、両端部間の中間部が前記両端部（連通部のある部位）よりも低い位置となるトラップ部を有するように形成されている。したがって、この形態では、ダクト３７内を流通する空気中の水分が凝縮した場合にそれをトラップしてダクト３７の中間部に溜めることができる。このため、ダクト３７内の凝縮水が袋体３５内及び試験空間Ｓｔ内に流入することを防止することができる。なお、この形態のダクト３７を支持部３６の内側に収容する構成としてもよい。この場合には、取付部４２がダクト３７の第２垂直部３７ｈの上端部に設けられる構成となる。また、ダクト３７は、図６に示すような曲がり変形自在な構成としてもよい。
【００６１】
支持部３６は、図６に示すように、残圧を逃すための貫通孔３６ｅが設けられる構成としてもよい。この構成では、支持部３６の内部と外部とが連通するため、袋体３５が膨らんだり萎んだりする際に支持部３６内の空気圧が抵抗となることを防止することができる。このため、袋体３５への空気の流入時及び袋体３５からの空気の流出時にスムーズに圧力緩和を行うことができる。なお、貫通孔３６ｅの形状は、図示のように縦長の形状に限られるものではない。また、貫通孔３６ｅは、側部３６ｂに形成される構成に限られるものではなく、天部３６ｃ又は底部３６ａに設けられていてもよい。また、図１〜図５の何れかに示す支持部３６に貫通孔を設けるようにしてもよい。
【００６２】
前記実施形態では、袋体３５を縦長の形状に形成するとともに圧力調整装置１４を試験槽１２の側方に配置する構成としたが、これに限られるものではない。例えば、袋体３５が横長の形状に形成されるとともに、試験槽１２の上に配置される構成としてもよい。この場合でも袋体３５の上部で吊り下げる構成となる。この場合、袋体３５の接続口３５ｃが側面に形成される構成にすることも可能である。
【００６３】
前記実施形態では、圧力調整装置１４が１つの袋体３５を備える構成としたが、これに限られるものではなく、図７に示すように、複数の袋体３５を備える構成としてもよい。例えば、図７の例では、試験槽１２に複数の取出し口１７ａが設けられていて、各取出し口１７ａに対応してダクト３７の第１連通口３７ｃが設けられ、また各ダクト３７にそれぞれ袋体３５が接続された構成を示している。つまり、１つの試験槽１２に複数の圧力調整装置１４が設けられる構成となっている。また、この形態に代え、試験槽１２に１つの取出し口１７ａが設けられていて、この取出し口１７ａに接続された１つのダクト３７に複数の袋体３５が接続される構成としてもよい。
【００６４】
また、図８に示すように、１つのダクト３７及び袋体３５のセットに追加ユニット４８を接続する構成としてもよい。すなわち、ダクト３７の横部３７ｂが、支持部３６の側部３６ｂ（図８の左側の側部）にまで延設されており、この側部３６ｂには連通孔３６ｆが形成されている。追加ユニット４８は、ケース４９中に追加ダクト５０と、この追加ダクト５０に接続された追加袋体５１とが設けられた構成となっている。追加袋体５１は、図１の袋体３５と同じ構成のものであり、この追加袋体５１はケース４９内で吊り下げられている。そして、ケース４９を支持部３６に固定して、追加ダクト５０を、側部３６ｂの連通孔３６ｆを通してダクト３７と連通させるようになっている。この追加ユニット４８には、さらに別の追加ユニット４８を追加できるようにしてもよい。このように追加ユニット４８が別に用意されている態様であれば、試験槽１２の大きさ・容量に応じて接続する追加ユニット４８の数を適宜選択すればよい。このため、種々の大きさの袋体３５を用意する必要がなくなるので、部品点数の管理コストを抑えることができる。
【００６５】
前記実施形態では、支持部３６が袋体３５を収容する構成としたが、これに限られるものではない。例えば、支持部３６は、天部３６ｃが、互いに対向する一対の側部によって支持される門形、あるいはこの構成にさらに底部が設けられた枠状に構成されていてもよい。
【００６６】
前記実施形態では、試験槽１２に高温側空調空間Ｓｈと低温側空調空間Ｓｌが形成された三槽式の構成としたが、二槽式の構成や、恒温槽のように試験空間Ｓｔと空調空間とに仕切られる一槽式の環境試験装置としてもよい。また、試料の振動試験を行うための振動環境複合試験装置としてもよい。
【００６７】
前記実施形態では、支持部３６と試験槽１２との間に僅かな間隙が形成される構成としたが、これに限られるものではなく、例えば、支持部３６と試験槽１２とが互いに接触する配置構成としてもよい。
【００６８】
前記実施形態では、ダクト３７が一端部において取出し口１７ａに接続される一方、ダクト３７の他端部に袋体３５が接続される構成としたが、これに限られるものではない。例えば、図９に示すように、ダクト３７の中間部において取出し口１７ａに接続される構成としてもよい。すなわち、このダクト３７では、取出し口１７ａに接続される第１連通口３７ｃが縦部３７ａの中間部に形成されており、ダクト３７の縦部３７ａには、この第１連通口３７ｃから下方に延びるトラップ部３７ｉが含まれている。トラップ部３７ｉが第１連通口３７ｃから下方に位置することにより、ダクト３７内でトラップされた水分を溜めることができる。なお、図９では、ダクト３７の縦部３７ａにおける上端部に横部３７ｂが接続され、この横部３７ｂが試験槽１２の天井部に沿って延びる形態となっている。そして、圧力調整装置１４は試験槽１２の上に配置され、袋体本体３５ａが横方向に長い形状に形成されている。ただし、圧力調整装置１４の形態はこれに限るものではない。
【符号の説明】
【００６９】
Ｓｔ    試験空間
１０    環境試験装置
１２    試験槽
１４    圧力調整装置
１７ａ  取出し口
２１    加熱器
２２    高温側送風機
２５    冷却器
２６    低温側送風機
３５    袋体
３５ａ  袋体本体
３５ｂ  保持部
３５ｃ  接続口
３５ｆ  絞り部
３６    支持部
３６ｅ  貫通孔
３７    ダクト
４２    取付部
【図１】
2011145121.tif 000003
【図２】
2011145121.tif 000004
【図３】
2011145121.tif 000005
【図４】
2011145121.tif 000006
【図５】
2011145121.tif 000007
【図６】
2011145121.tif 000008
【図７】
2011145121.tif 000009
【図８】
2011145121.tif 000010
【図９】
2011145121.tif 000011